Podtech/llm-jp-corpus-v4-ja_patent huggingface dataset:
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
表示画面において絵柄を所定方向に変動表示する絵柄表示装置と、絵柄の変動及び停止を制御する一方、遊技者に有利な特別遊技状態となる際の特定表示態様の前段階として待機絵柄を停止表示するとともに、該待機絵柄の表示後に所定の待機状態変動演出を行う表示制御手段と、前記表示画面の一部を隠すようにして設けられた隠蔽部材とを備え、前記表示画面上の遊技演出に合わせて前記隠蔽部材を制御するようにした遊技機において、
前記表示画面において前記隠蔽部材により隠されていない非隠蔽領域と同隠蔽部材により隠された隠蔽領域とに跨るようにして前記待機絵柄を停止表示する待機絵柄表示手段を備えたことを特徴とする遊技機。
【請求項２】
前記待機絵柄表示手段は、前記非隠蔽領域内で表示されれば前記待機絵柄となる表示態様を、絵柄の変動方向に一部ずらした状態とすることで前記非隠蔽領域と前記隠蔽領域とに跨るようにして停止表示し、それを前記待機絵柄とすることを特徴とする請求項１に記載の遊技機。
【請求項３】
予め定めた規定順序で前記絵柄を変動表示するよう構成した遊技機であって、前記待機絵柄表示手段は、前記規定順序に合わせて前記非隠蔽領域と前記隠蔽領域とに跨って待機絵柄を表示することを特徴とする請求項１又は２に記載の遊技機。
【請求項４】
前記隠蔽領域に隠れた絵柄を一部視認できるようにして前記待機絵柄を表示することを特徴とする請求項１乃至３のいずれかに記載の遊技機。
【請求項５】
前記隠蔽部材を制御する隠蔽部材制御手段を備え、前記待機絵柄表示手段による待機絵柄表示の後、前記隠蔽部材制御手段が、前記隠蔽部材を制御してその背後に隠れた絵柄を現出させることを特徴とする請求項１乃至４のいずれかに記載の遊技機。
【請求項６】
前記表示画面において複数の絵柄列毎に絵柄が変動表示される構成とした遊技機であって、前記隠蔽部材は、前記絵柄列における少なくとも１つ分の絵柄を隠すものであることを特徴とする請求項１乃至５のいずれかに記載の遊技機。
【請求項７】
前記絵柄列毎に絵柄が順次停止し、最終停止絵柄を残して他の絵柄が停止表示された時にその停止絵柄により待機絵柄表示となる遊技機であって、最終停止絵柄以外の絵柄の絵柄列にはその絵柄列毎に個別に前記隠蔽部材を設けたことを特徴とする請求項６に記載の遊技機。
【請求項８】
前記非隠蔽領域には複数の絵柄が並ぶ有効ラインが設定されており、前記待機絵柄表示手段は、前記有効ライン以外の別ライン上に待機絵柄が並ぶものとして当該待機絵柄を表示することを特徴とする請求項１乃至７のいずれかに記載の遊技機。
【請求項９】
表示画面において複数の絵柄列で絵柄を所定方向に変動表示する絵柄表示装置と、絵柄の変動及び停止を制御する一方、遊技者に有利な特別遊技状態となる際の特定表示態様の前段階として所定の有効ライン上でリーチラインを発生させるべく絵柄を停止表示するとともに、該リーチライン発生後に所定のリーチ演出を行う表示制御手段とを備えた遊技機において、
前記有効ラインでない非有効ラインでリーチラインを発生させるよう絵柄を停止表示し、その後、前記非有効ライン上のリーチラインを有効とみなして前記リーチ演出を開始することを可能としたリーチ有効化手段を備えたことを特徴とする遊技機。
【請求項１０】
前記表示画面の一部を隠すようにして設けられた隠蔽部材を備え、前記リーチ有効化手段は、前記表示画面において前記隠蔽部材に隠されていない非隠蔽領域と同隠蔽部材により隠された隠蔽領域とに跨るようにしてリーチラインを発生させることを特徴とする請求項９に記載の遊技機。
【請求項１１】
前記隠蔽部材を制御する隠蔽部材制御手段を更に備え、前記隠蔽部材制御手段による前記隠蔽部材の制御に伴い、前記リーチライン全体を現出させることを特徴とする請求項１０に記載の遊技機。
【手続補正書】
【提出日】平成18年9月4日(2006.9.4)
【手続補正１】
【補正対象書類名】明細書
【補正対象項目名】発明の名称
【補正方法】変更
【補正の内容】
【発明の名称】被検者確認システム及び医用画像診断装置
【手続補正２】
【補正対象書類名】特許請求の範囲
【補正対象項目名】全文
【補正方法】変更
【補正の内容】
【特許請求の範囲】
【請求項１】
被検者情報を入力する手段と、被検者情報を記憶する手段と、検査待ち被検者の情報を表示する手段とを有する被検者確認システムにおいて、
前記被検者情報記憶手段に記憶された被検者情報を取得して少なくとも一つの同一被検者情報をもつ類似被検者の有無を確認する手段と、前記類似被検者の類似度に対応した警告情報を生成する手段とを備え、
前記検査待ち被検者情報表示手段は、前記検査待ち被検者の前記被検者情報と前記警告情報を表示する手段を備えたことを特徴とする被検者確認システム。
【請求項２】
被検者情報を入力する手段と、被検者情報を記憶する手段と、前記被検者情報を表示する手段と、を有する医用画像診断装置において、
前記被検者情報記憶手段に記憶された被検者情報を取得して少なくとも一つの同一被検者情報をもつ類似被検者の有無を確認する手段と、前記類似被検者の類似度に対応した警告情報を生成する手段とを備え、
前記被検者情報表示手段は、前記検査待ち被検者の前記被検者情報と前記警告情報とを表示することを特徴とする医用画像診断装置。
【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
食材と該食材を刺した串とで構成される串刺し食品を加熱調理する調理装置であって、
加熱調理中の食材が中に保持される調理空間を形成する壁部材を有する装置本体と、
前記調理空間の上部に発熱部が位置する様に設けられた発熱体と、
前記発熱部より下方に食材を位置させ横にした串を軸心回りに回転自在に保持する事のできる食品保持機構と、
を備えたことを特徴とする調理装置。
【請求項２】
開口部が前記壁部材の前記調理空間の正面の側に設けられ、
前記装置本体が前記開口部を塞ぐことをできる扉部材を有する、
ことを特徴とする請求項１に記載の調理装置。
【請求項３】
前記食品保持機構が保持された串刺し食品を前記開口部を通過して前記調理空間の内と外との間で移動自在にガイドするガイド機構を有する、
ことを特徴とする請求項２に記載の調理装置。
【請求項４】
前記壁部材が少なくとも一対の側面壁部材と上面壁部材と正面壁部材と背面壁部材とを持ち、
一対の前記側面壁部材が前記調理空間の両側の側面を形成し、
前記上面壁部材が前記調理空間の上面を形成し、
前記正面壁部材が前記調理空間の正面の前記開口部より上方を形成し、
前記背面壁部材が前記調理空間の背面を形成する、
ことを特徴とする請求項２に記載の調理装置。
【請求項５】
前記壁部材が前記調理空間の上部を外気に連通する第一通気口を持つ、
ことを特徴とする請求項１に記載の調理装置。
【請求項６】
前記壁部材が前記調理空間の上部を外気に連通する第一通気口と前記調理空間の下部を外気に連通する第二通気口とを持つ、
ことを特徴とする請求項１に記載の調理装置。
【請求項７】
前記食品保持機構が串の一方の端部を保持する保持部材と該保持部材を串の軸心回りに回転させる回転機構とを有する、
ことを特徴とする請求項１に記載の調理装置。
【請求項８】
前記食品保持機構が串の一方の端部を保持する保持部材と該保持部材を串の軸心回りに回転させる回転機構とを有し、
前記保持部材が串の一方の端部が差し込まれる孔が設けられた棒部材と該棒部材に端部を支持されて起立し串に沿って食材の側へ伸びる枝状部材とを持つ、
ことを特徴とする請求項１に記載の調理装置。
【請求項９】
前記食品保持機構が串の一方の端部を保持する保持部材と該保持部材を串の軸心回りに回転させる回転機構とを有し、
前記保持部材が串の一方の端部が差し込まれる孔が設けられた棒部材と該棒部材に支持され串に沿って伸びて食材を両側から挟むことのできる一対の網目状部材とを持つ、
ことを特徴とする請求項１に記載の調理装置。
【請求項１０】
前記装置本体が前記調理空間の底部に位置し一方へ傾斜した平板部を持つ汁受け部材を有する、
ことを特徴とする請求項１に記載の調理装置。
【請求項１１】
前記装置本体が前記調理空間の底部に位置し上から垂れる液体を受けることをできる平板部を持つ汁受け部材と該平板部の上面を覆う複数の孔のあいた覆い板とを有する、
ことを特徴とする請求項１に記載の調理装置。
【請求項１２】
食材と該食材を刺した串とで構成される串刺し食品を加熱調理するために保持する保持部材であって、
串の一方の端部が差し込まれる孔が設けられた棒部材と、
前記棒部材に端部を支持されて起立し串に沿って食材の側へ伸びる枝状部材と、
を備えたことを特徴とする保持部材。
【請求項１３】
食材と該食材を刺した串とで構成される串刺し食品を加熱調理するために保持する保持部材であって、
串の一方の端部が差し込まれる孔が設けられた棒部材と、
該棒部材に支持され串に沿って伸びて食材を両側から挟むことのできる一対の網目状部材と、
を備えたことを特徴とする保持部材。
【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
医用画像から複数種類の異常陰影候補を検出する異常陰影候補検出手段を備えた医用画像処理装置において、
前記異常陰影候補検出手段により検出された何れか一の種類の異常陰影候補の検出結果に基づいて、他の種類の異常陰影候補の検出結果を補正する補正手段を備えたことを特徴とする医用画像処理装置。
【請求項２】
前記異常陰影候補検出手段は、医用画像を画像解析して各種特徴量を算出し、当該特徴量に基づいて異常陰影候補を検出し、
前記補正手段は、前記異常陰影候補検出手段により算出された一の種類の異常陰影候補における特徴量に応じて、他の種類の異常陰影候補の検出結果に対する補正量を調整することを特徴とする請求項１に記載の医用画像処理装置。
【請求項３】
前記補正手段は、一の種類の異常陰影候補の検出結果に基づいて、他の種類の異常陰影候補の検出条件を変更し、
前記異常陰影候補検出手段は、他の種類の異常陰影候補を検出する際に、一の異常陰影候補が検出された画像領域では、前記補正手段により変更された検出条件を適用して検出を行うことを特徴とする請求項１又は２に記載の医用画像処理装置。
【請求項４】
前記医用画像はマンモグラフィであり、
前記異常陰影候補検出手段は、前記マンモグラフィから腫瘤陰影候補及び微小石灰化クラスタ陰影候補を検出し、
前記補正手段は、前記異常陰影候補検出手段による腫瘤陰影候補の検出結果に基づいて、微小石灰化クラスタ陰影候補の検出条件を変更し、
前記異常陰影候補検出手段は、腫瘤陰影候補の画像領域では前記補正手段により変更された検出条件を適用して微小石灰化クラスタ陰影候補を検出することを特徴とする請求項３に記載の医用画像処理装置。
【請求項５】
前記異常陰影候補検出手段による異常陰影候補の検出結果を表示する表示手段を備えることを特徴とする請求項１〜４の何れか一項に記載の医用画像処理装置。
【請求項６】
前記表示手段は、前記補正手段により補正された異常陰影候補の検出結果と、前記補正手段により補正される前の異常陰影候補の検出結果とを切り換え可能に表示することを特徴とする請求項５に記載の医用画像処理装置。
【請求項７】
コンピュータを、
請求項１〜６の何れか一項に記載の医用画像処理装置として機能させるためのプログラム。
【手続補正２】
【補正対象書類名】明細書
【補正対象項目名】発明の名称
【補正方法】変更
【補正の内容】
【発明の名称】医用画像処理装置及びプログラム
【手続補正３】
【補正対象書類名】明細書
【補正対象項目名】０００１
【補正方法】変更
【補正の内容】
【０００１】
本発明は、医用画像を画像解析して異常陰影の候補領域を検出する医用画像処理装置及びプログラムに関する。
【手続補正４】
【補正対象書類名】明細書
【補正対象項目名】００１３
【補正方法】変更
【補正の内容】
【００１３】
請求項６に記載の発明は、請求項５に記載の医用画像処理装置において、
前記表示手段は、前記補正手段により補正された異常陰影候補の検出結果と、前記補正手段により補正される前の異常陰影候補の検出結果とを切り換え可能に表示することを特徴とする。
請求項７に記載の発明は、
コンピュータを、
請求項１〜６の何れか一項に記載の医用画像処理装置として機能させるためのプログラムであることを特徴とする。
【手続補正５】
【補正対象書類名】明細書
【補正対象項目名】００１４
【補正方法】変更
【補正の内容】
【００１４】
請求項１、３、７に記載の発明によれば、一の種類の異常陰影候補の検出結果に基づいて、他の種類の異常陰影候補の検出条件を変更して検出結果を補正するので、一の種類の異常陰影候補が検出された領域では、その領域に応じた検出条件に変更して他の異常陰影候補の検出を行うことにより、適切な検出を行うことができる。従って、検出対象とする異常陰影を他の陰影と区別することができ、検出精度を向上させることができる。
【手続補正６】
【補正対象書類名】明細書
【補正対象項目名】００６５
【補正方法】変更
【補正の内容】
【００６５】
１０    医用画像処理装置
１１    ＣＰＵ
１３    操作部
１４    表示部
１５    通信部
１６    ＲＡＭ
１７    ＲＯＭ
１８    プログラムメモリ
【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
医用画像から異常陰影候補を検出する異常陰影候補検出手段を有する医用画像処理装置と、複数サイズの記録媒体を保有し、出力設定されたサイズの記録媒体に画像を記録する画像記録装置とから構成される医用画像診断支援システムにおいて、
前記異常陰影候補検出手段により検出された異常陰影候補に関する情報を医用画像上にレイアウトして診断用画像を作成する診断用画像作成手段と、
前記画像記録装置が保有する複数サイズの記録媒体のうち、特定のサイズの記録媒体を画像記録に使用する記録媒体として出力設定する出力設定手段と、
前記作成された診断用画像を前記画像記録装置により記録媒体上に記録する際に、現在出力設定されている記録媒体のサイズで診断用画像が欠損を生じずに正常に記録されるか否かを判別する判別手段と、
前記判別手段により正常に記録されないと判別された場合、画像記録装置が保有する記録媒体に関する記録媒体情報を取得する取得手段と、
前記取得された記録媒体情報に基づいて、診断用画像を記録する記録媒体のサイズを変更する変更手段と、
を備えることを特徴とする医用画像診断支援システム。
【請求項２】
前記変更手段は、診断用画像の画像サイズは変更せずに記録媒体のサイズを変更することを特徴とする請求項１に記載の医用画像診断支援システム。
【請求項３】
前記変更手段は、前記判別手段により診断用画像が正常に記録されないと判別された場合、記録媒体のサイズを診断用画像の全画像領域を記録可能な大きいサイズに変更することを特徴とする請求項１又は２に記載の医用画像診断支援システム。
【請求項４】
前記異常陰影候補に関する情報には、異常陰影候補の位置を示すマーカ情報、異常陰影候補に関するアノテーション情報、ユーザの所見情報のうち、少なくとも１つが含まれることを特徴とする請求項１〜３の何れか一項に記載の医用画像診断支援システム。
【請求項５】
情報を入力するための入力手段を備え、
前記所見情報には、前記入力手段を介して入力されたテキスト情報、検出された異常陰影候補に対する真陽性か偽陽性かの診断結果情報のうち、少なくとも１つが含まれることを特徴とする請求項１〜４の何れか一項に記載の医用画像診断支援システム。
【請求項６】
前記取得手段は、記録媒体情報として前記画像記録装置が保有する記録媒体のサイズ情報及び各サイズの記録媒体の保有数の情報を取得することを特徴とする請求項１〜５の何れか一項に記載の医用画像診断支援システム。
【請求項７】
前記判別手段は、ユーザにより出力設定された記録媒体のサイズで、診断用画像が欠損を生じずに正常に記録されるか否かを判別することを特徴とする請求項１〜６の何れか一項に記載の医用画像診断支援システム。
【請求項８】
前記変更手段は、前記取得手段により取得された記録媒体情報に基づいて、画像記録装置が保有しているサイズの記録媒体に変更することを特徴とする請求項１〜７の何れか一項に記載の医用画像診断支援システム。
【請求項９】
前記変更手段により記録媒体のサイズが大きいサイズに変更されると、診断用画像の画像領域を除く他の画像領域が所定濃度以上となるように濃度補正を行う濃度補正手段を備えることを特徴とする請求項１〜８の何れか一項に記載の医用画像診断支援システム。
【請求項１０】
前記濃度補正手段は、前記診断用画像の画像領域を除く他の領域が所定濃度以上かつ一定濃度となるように濃度補正を行うことを特徴とする請求項９に記載の医用画像診断支援システム。
【請求項１１】
医用画像における被写体領域を認識する領域認識手段を備え、
前記領域認識手段により認識された被写体領域を除く他の領域が所定濃度以上となるように濃度補正を行う濃度補正手段を備えることを特徴とする請求項１〜８の何れか一項に記載の医用画像診断支援システム。
【請求項１２】
前記濃度補正手段は、前記被写体領域を除く他の画像領域における最小濃度が、被写体領域における最小濃度より高濃度となるように濃度補正することを特徴とする請求項１１に記載の医用画像診断支援システム。
【請求項１３】
前記濃度補正手段は、前記被写体領域を除く他の画像領域が所定濃度以上かつ一定濃度となるように濃度補正を行うことを特徴とする請求項１１又は１２に記載の医用画像診断支援システム。
【請求項１４】
コンピュータを、
請求項１〜１３の何れか一項に記載の医用画像診断支援システムとして機能させるためのプログラム。
【手続補正２】
【補正対象書類名】明細書
【補正対象項目名】発明の名称
【補正方法】変更
【補正の内容】
【発明の名称】医用画像診断支援システム及びプログラム
【手続補正３】
【補正対象書類名】明細書
【補正対象項目名】０００１
【補正方法】変更
【補正の内容】
【０００１】
本発明は、医用画像を画像解析して異常陰影候補を検出し、その検出された異常陰影候補に関する情報を医用画像とともに記録媒体上に記録して医師の診断支援を行う医用画像診断支援システム及びプログラムに関する。
【手続補正４】
【補正対象書類名】明細書
【補正対象項目名】００２０
【補正方法】変更
【補正の内容】
【００２０】
請求項１３に記載の発明は、請求項１１又は１２に記載の医用画像診断支援システムにおいて、
前記濃度補正手段は、前記被写体領域を除く他の画像領域が所定濃度以上かつ一定濃度となるように濃度補正を行うことを特徴とする。
請求項１４に記載の発明は、
コンピュータを、
請求項１〜１３の何れか一項に記載の医用画像診断支援システムとして機能させるためのプログラムであることを特徴とする。
【手続補正５】
【補正対象書類名】明細書
【補正対象項目名】００２１
【補正方法】変更
【補正の内容】
【００２１】
請求項１、３、１４に記載の発明によれば、診断用画像が正常に記録媒体に記録されないと判別されると、記録媒体のサイズを診断用画像の全画像領域を記録媒体に記録可能な大きいサイズに変更するので、医用画像はもちろん、異常陰影候補に関する情報も欠損することなく記録媒体上に記録することができる。従って、読影対象の画像の欠損を防止して正確な読影を行うことが可能となる。
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
皮膚に穿刺可能な穿刺針を備えたランセット部と、
前記穿刺針の針先前方に血管拡張作用を有する波長の光を照射するための光照射部と、
を有することを特徴とする穿刺器具。
【請求項２】
前記穿刺針の針先前方に設けられ皮膚により略密閉可能なチャンバと、
前記チャンバ内の空気を吸引するための吸引手段と、
をさらに有することを特徴とする請求項１に記載の穿刺器具。
【請求項３】
前記光照射部は、波長３６０ｎｍ〜６００ｎｍの範囲内のレーザ光、または波長３６０ｎｍ〜６００ｎｍの範囲内に吸収ピークを有する光を照射することを特徴とする請求項１または２に記載の穿刺器具。
【請求項４】
前記ランセット部および前記光照射部を収納するケーシングと、
当該ケーシングの上面に形成され指先でほぼ塞ぎ得る開口と、
当該開口の近傍に設けられ前記光の照射を開始および停止可能なスイッチと、
をさらに有することを特徴とする請求項１または２に記載の穿刺器具。
【請求項５】
皮膚に穿刺可能な穿刺針を備えたランセット部と、
前記穿刺針の針先前方に血管拡張作用を有する波長の光を照射するための光照射部と、
前記穿刺針により穿刺された皮膚からの血液に基づいて血糖値を算出する分析部と、
を有することを特徴とする穿刺器具を備えた血糖値測定装置。
【請求項６】
皮膚に穿刺可能な穿刺針を備えたランセット部を有する穿刺器具が装着され得る、当該穿刺器具を保持するための保持体と、
前記保持体に前記穿刺器具が装着された場合に前記穿刺針の針先前方に血管拡張作用を有する波長の光を照射するための光照射部と、
を有することを特徴とする穿刺器具用光照射装置。
【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
絵柄を表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させるとともに予め設定された変動時間の経過後に前記変動表示を終了させるように前記絵柄表示装置を表示制御する表示制御手段と
を備えた遊技機において、
遊技者による特定の操作を検出する操作検出手段と、
前記操作検出手段により遊技者による特定の操作が検出されると、その検出された操作タイミングに応じた変動態様によって変動表示させるように前記絵柄表示装置を表示制御する変動表示変更手段と
を備えたことを特徴とする遊技機。
【請求項２】
絵柄の変動表示を開始し、その後変動表示を終了させる絵柄表示装置と、
始動条件成立に基づいて前記変動表示を開始させ、予め設定された変動態様に従って変動表示した後に変動表示を終了させるように前記絵柄表示装置を制御する表示制御手段と
を備えた遊技機において、
遊技者による特定の操作を検出する操作検出手段と、
前記操作検出手段により遊技者による特定の操作が検出されると、その検出された操作タイミングに応じ前記変動態様の一部を省略する省略手段と
を備えたことを特徴とする遊技機。
【請求項３】
各変動態様には中途に切換ポイントが複数設けられており、前記省略手段は、前記操作タイミングに応じて次の切換ポイントに至るまでの変動態様部分を省略するものであることを特徴とする請求項２に記載の遊技機。
【請求項４】
絵柄の変動表示を開始し、その後変動表示を終了させる絵柄表示装置と、
始動条件成立に基づいて前記変動表示を開始させ、予め設定された変動態様に従って変動表示した後に変動表示を終了させるように前記絵柄表示装置を制御する表示制御手段と
を備えた遊技機において、
前記変動態様として、変動表示の開始後にリーチ前変動を行い、その後リーチ変動を行い、最後に停止表示を行うことにより変動表示を停止させる特定変動態様が設定されており、
さらに、遊技者による特定の操作を検出する操作検出手段と、
前記リーチ前変動中のタイミングで前記操作検出手段により遊技者による特定の操作が検出されるとリーチ前変動を省略し、前記リーチ変動中のタイミングで前記操作が検出されるとそのリーチ変動を省略する省略手段と
を備えたことを特徴とする遊技機。
【請求項５】
絵柄を表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させるとともに予め設定された変動時間の経過後に前記変動表示を終了させるように前記絵柄表示装置を表示制御する表示制御手段と
を備えた遊技機において、
遊技者による特定の操作を検出する操作検出手段と、
前記操作検出手段の検出結果を確認する検出結果確認手段と、
各変動態様にそれぞれ複数の区間を設定し、前記検出結果確認手段が前記遊技者による特定の操作の検出を確認した区間に応じた変動態様によって変動表示させるように前記絵柄表示装置を表示制御する変動表示変更手段と
を備えたことを特徴とする遊技機。
【請求項６】
前記検出結果確認手段は、前記絵柄の変動開始から所定期間内に限り前記操作検出手段の検出結果を有効とすることとし、前記所定期間を前記絵柄の変動開始から終了までの絵柄変動時間より短く設定したことを特徴とする請求項５に記載の遊技機。
【請求項７】
遊技を統括管理するメイン制御手段と、メイン制御手段の配下で前記絵柄表示装置を表示制御するサブ制御手段とを備え、
前記表示制御手段は、前記作動条件成立に基づいて絵柄の変動開始を指令するとともに変動態様を指令するメイン制御手段の機能と、変動開始指令に基づいて絵柄表示装置に絵柄の変動表示を開始させるとともに変動態様指令に基づいてその変動態様で変動表示を行わせるサブ制御手段の機能とから構成されていることを特徴とする請求項１乃至請求項６のいずれかに記載の遊技機。
【請求項８】
絵柄を表示する絵柄表示装置と、
前記絵柄の変動態様を決定するメイン制御手段と、
前記メイン制御手段により決定された変動態様に従って、前記絵柄の変動表示を開始させ、変動表示させるとともに予め設定された変動時間の経過後に前記変動表示を終了させるように前記絵柄表示装置を表示制御するサブ制御手段と
を備えた遊技機において、
遊技者による特定の操作を検出する操作検出手段と、
前記操作検出手段の検出結果を確認する検出結果確認手段と
を備え、
前記メイン制御手段は、各変動態様にそれぞれ複数の区間を設定し、前記検出結果確認手段が前記遊技者による特定の操作の検出を確認した区間に応じた区間識別コマンドを前記サブ制御手段に対して出力し、
前記区間識別コマンドを入力した前記サブ制御手段は、前記区間識別コマンドに基づいた変動態様に従って変動表示させるように前記絵柄表示装置を表示制御することを特徴とする遊技機。
【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
絵柄を表示画面内で所定の変動方向に変動表示する絵柄表示装置と、前記絵柄の変動及び停止を制御する変動表示制御手段とを備え、遊技者に有利な特別遊技状態を発生し得る遊技機において、
前記表示画面内で前記絵柄の変動表示が視認可能となる視認可能領域を前記変動方向に拡張する領域制御手段を備えたことを特徴とする遊技機。
【請求項２】
複数の絵柄を表示画面内で所定の変動方向に変動表示する絵柄表示装置と、前記絵柄の変動及び停止を制御する変動表示制御手段とを備え、遊技者に有利な特別遊技状態を発生し得る遊技機において、
前記表示画面内で前記絵柄の変動表示が視認可能となる視認可能領域を前記変動方向と逆方向に拡張する領域制御手段を備えたことを特徴とする遊技機。
【請求項３】
前記表示画面の前方にその一部を隠蔽するように配置された隠蔽部材と、該隠蔽部材を制御する隠蔽部材制御手段とを備え、該隠蔽部材制御手段が前記隠蔽領域を視認可能となるよう前記隠蔽部材を制御することにより前記視認可能領域を拡張することを特徴とする請求項１又は請求項２に記載の遊技機。
【請求項４】
前記隠蔽部材を前記表示画面の隅角部に配置したことを特徴とする請求項３に記載の遊技機。
【請求項５】
前記絵柄表示装置の表示画面における縦方向及び横方向の最長部分の表示領域を残すようにして前記隠蔽部材を設けたことを特徴とする請求項３又は請求項４に記載の遊技機。
【請求項６】
前記絵柄表示装置を制御する第１制御装置と、前記隠蔽部材を制御する第２制御装置とを備え、
前記第１制御装置は前記変動表示制御手段と前記領域制御手段とを含み、前記第２制御装置は前記隠蔽部材制御手段を含む構成としたことを特徴とする請求項３乃至請求項５のいずれかに記載の遊技機。
【請求項７】
前記変動表示制御手段は、前記視認可能領域が拡張された際に、この拡張領域を前記絵柄の変動表示に用いることを特徴とする請求項１乃至請求項６のいずれかに記載の遊技機。
【請求項８】
前記変動表示制御手段は、前記視認可能領域が拡張された際に、視認可能となる前記絵柄の数を増加させることを特徴とする請求項１乃至請求項７のいずれかに記載の遊技機。
【請求項９】
絵柄を表示画面内で所定の変動方向に変動表示する絵柄表示装置と、前記絵柄の変動及び停止を制御する変動表示制御手段と、前記絵柄を停止させたときに前記変動方向に有効に表示される絵柄数を増加させるよう表示態様を制御する表示態様制御手段とを備え、遊技者に有利な特別遊技状態を発生し得る遊技機において、
前記表示態様制御手段による表示態様制御に合わせて、前記表示画面内で前記絵柄が視認可能となる視認可能領域を前記変動方向に拡張する領域制御手段を備えたことを特徴とする遊技機。
【請求項１０】
絵柄を表示画面内で所定の変動方向に変動表示する絵柄表示装置と、前記絵柄の変動及び停止を制御する変動表示制御手段と、前記絵柄を停止させたときに前記変動方向と逆方向に有効に表示される絵柄数を増加させるよう表示態様を制御する表示態様制御手段とを備え、遊技者に有利な特別遊技状態を発生し得る遊技機において、
前記表示態様制御手段による表示態様制御に合わせて、前記表示画面内で前記絵柄が視認可能となる視認可能領域を前記変動方向と逆方向に拡張する領域制御手段を備えたことを特徴とする遊技機。
【請求項１１】
前記表示態様制御手段は、前記領域制御手段が前記視認可能領域を拡張した際に、該拡張領域を用いて前記表示態様制御を実施することを特徴とする請求項９又は請求項１０に記載の遊技機。
【請求項１２】
前記表示態様制御手段は、前記変動方向における絵柄幅を狭めることなく前記表示態様制御を実施し、前記領域制御手段は、少なくとも前記表示態様制御により増加される絵柄分以上に前記視認可能領域を拡張することを特徴とする請求項９乃至請求項１１のいずれかに記載の遊技機。
【請求項１３】
複数列に配置された絵柄を表示画面に変動表示する絵柄表示装置と、
作動条件成立を検出する作動検出手段と、
作動検出手段による作動条件成立を示す検出結果に基づいて、前記絵柄の変動表示を開始させ、予め設定された変動態様に従って変動表示させた後にその変動表示を終了させる変動表示制御手段と
を備え、
前記変動態様として、前記複数列の絵柄を所定の変動方向に変動表示させる通常変動を行い、その後少なくとも１列を除いて絵柄を停止表示させ、停止表示された絵柄が遊技者に有利な特別遊技状態の発生を教示する特定絵柄となり得る場合には、停止表示された待機絵柄と変動表示中の変動絵柄とによりリーチ演出を行い、その後変動表示を終了させる特定変動態様が設定された遊技機において、
前記表示画面内に、前記絵柄が変動表示される第１表示領域と、該第１表示領域に隣接して設けられる第２表示領域とを形成し、前記リーチ演出を行う際に、前記第２表示領域の少なくとも一部を統合することにより前記第１表示領域を拡張して拡張表示領域を形成するよう領域制御を行う領域制御手段と、
前記変動絵柄を前記通常変動時の変動方向と異なる方向に変化させ、且つ前記変動絵柄の変動表示を前記領域制御の際に統合される被統合領域にて行う変動絵柄制御手段とを備えたことを特徴とする遊技機。
【請求項１４】
前記領域制御手段は、前記絵柄が通常変動時に変動表示される変動先又は変動元に前記第２表示領域を配置することを特徴とする請求項１３に記載の遊技機。
【請求項１５】
前記領域制御手段は、前記領域制御を行う際に、前記変動絵柄のうち少なくとも２絵柄が視認可能となるよう前記被統合領域を形成することを特徴とする請求項１３又は請求項１４に記載の遊技機。
【請求項１６】
前記第１表示領域内にて前記複数の絵柄列の絵柄を予め設定した有効ライン上で組み合わせて前記特定絵柄を形成する特定絵柄形成手段を備え、
前記変動絵柄制御手段は、
前記有効ライン上を通らないように前記変動絵柄を変動表示し、
変動表示を終了する際には、前記変動絵柄の変動方向を前記通常変動時の変動方向に戻し、且つ前記被統合領域から元の第１表示領域へと移動表示することにより、前記変動絵柄を有効ライン上に停止表示することを特徴とする請求項１３乃至請求項１５のいずれかに記載の遊技機。
【請求項１７】
前記領域制御手段は、前記拡張表示領域内における前記変動絵柄が変動表示される領域を示す変動領域教示部と、前記被統合領域にて変動表示される前記変動絵柄のうち前記有効ライン上に停止表示される絵柄を教示する停止絵柄教示部とを表示し、
前記変動絵柄制御手段は、前記変動絵柄の変動表示を終了する際に、前記被統合領域から前記停止絵柄教示部を介して有効ライン上に停止表示することを特徴とする請求項１６に記載の遊技機。
【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
放射線用二次元センサを用いて被検査体を異なる方向から撮影した複数の投影画像の中から少なくとも１つの代表画像を選択する代表画像選択手段と、該代表画像選択手段により選択した前記代表画像から放射線が照射された領域である照射領域を抽出する照射領域抽出手段と、該照射領域抽出手段により抽出した前記照射領域を基準としてＣＴ再構成範囲を決定する再構成範囲決定手段と、該再構成範囲決定手段により決定した前記ＣＴ再構成範囲に従って前記複数の投影画像を基にＣＴ再構成を行う再構成手段とを備えたことを特徴とする放射線画像処理装置。
【請求項２】
前記投影画像の撮影方向を取得する撮影方向取得手段を備え、前記代表画像選択手段は前記撮影方向取得手段により取得した前記撮影方向に基づいて前記代表画像を選択することを特徴とする請求項１に記載の放射線画像処理装置。
【請求項３】
前記代表画像選択手段は撮影開始後の最初に得られる前記投影画像を前記代表画像として選択することを特徴とする請求項１に記載の放射線画像処理装置。
【請求項４】
前記代表画像選択手段は前記撮影方向が被検査体に対して正面方向又は側面方向である前記投影画像を前記代表画像として選択することを特徴とする請求項２に記載の放射線画像処理装置。
【請求項５】
前記再構成範囲決定手段により決定したＣＴ再構成範囲を変更する再構成範囲変更手段を備えたことを特徴とする請求項１に記載の放射線画像処理装置。
【請求項６】
被検査体を異なる方向から撮影した複数の投影画像の中から少なくとも１つの代表画像を選択する代表画像選択工程と、該代表画像選択工程により選択した前記代表画像から放射線が照射された領域である照射領域を抽出する照射領域抽出工程と、該照射領域抽出工程により抽出した前記照射領域を基準としてＣＴ再構成範囲を決定する再構成範囲決定工程と、該再構成範囲決定工程により決定した前記ＣＴ再構成範囲に従って前記複数の投影画像を基にＣＴ再構成を行う再構成工程とを備えたことを特徴とする放射線画像処理方法。
【手続補正２】
【補正対象書類名】明細書
【補正対象項目名】発明の名称
【補正方法】変更
【補正の内容】
【発明の名称】放射線画像処理装置及び処理方法
【手続補正３】
【補正対象書類名】明細書
【補正対象項目名】０００１
【補正方法】変更
【補正の内容】
【０００１】
本発明は、異なる方向から撮影した複数の投影画像に対してＣＴ再構成を行い、特に投影画像のＸ線照射領域を基準としてＣＴ再構成範囲を決定する放射線画像処理装置及び処理方法に関するものである。
【手続補正４】
【補正対象書類名】明細書
【補正対象項目名】０００７
【補正方法】変更
【補正の内容】
【０００７】
本発明の目的は、上述のような問題点を解決し、投影画像群からＣＴ画像群を得る際に撮影技師に面倒な手作業を発生させず、診断に必要な範囲のみを短時間でＣＴ再構成しＣＴ撮影のスループットを向上させる放射線画像処理装置及び処理方法を提供することにある。
【手続補正５】
【補正対象書類名】明細書
【補正対象項目名】００１２
【補正方法】変更
【補正の内容】
【００１２】
請求項５に係る本発明は、前記再構成範囲決定手段により決定したＣＴ再構成範囲を変更する再構成範囲変更手段を備えたことを特徴とする請求項１に記載の放射線画像処理装置である。
請求項６に係る本発明は、被検査体を異なる方向から撮影した複数の投影画像の中から少なくとも１つの代表画像を選択する代表画像選択工程と、該代表画像選択工程により選択した前記代表画像から放射線が照射された領域である照射領域を抽出する照射領域抽出工程と、該照射領域抽出工程により抽出した前記照射領域を基準としてＣＴ再構成範囲を決定する再構成範囲決定工程と、該再構成範囲決定工程により決定した前記ＣＴ再構成範囲に従って前記複数の投影画像を基にＣＴ再構成を行う再構成工程とを備えたことを特徴とする放射線画像処理方法である。
【手続補正６】
【補正対象書類名】明細書
【補正対象項目名】００１３
【補正方法】変更
【補正の内容】
【００１３】
請求項１、６に記載の発明によれば、代表画像のＸ線照射領域の位置を基準としてＣＴ再構成範囲を自動的に決定するため、撮影技師の作業量を削減する効果があり、ＣＴ撮影のスループットが向上する。また、診断に必要な部分のみを再構成するため計算時間を短縮し、診断に不要な部分を再構成しないため診断効率が向上する。
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
複数の球体(ＰＢ)をバラ積み状態に保留する筒状のヘッド（１０８）、前記ヘッドの下方に位置し、周縁部に1つの球体(ＰＢ)が上面側から下面側に移動可能な通孔（１２６）を複数有する回転ディスク（１１４）、前記回転ディスク（１１４）の下方に位置し、かつ、前記通孔（１２６）に保留された球体(ＰＢ)を案内するベース（１１８）、前記ベース(１１８)上に形成された前記球体の落下する落下孔（１４８）、前記回転ディスク(１１４)に隣接配置された前記落下孔(１４８)と連絡した出口(１２０)、とを有する球体送り出し装置。
【請求項２】
複数の球体(ＰＢ)をバラ積み状態に保留する筒状のヘッド（１０８）、前記ヘッドの下方に位置し、周縁部にほぼ水平な部位（５００）を有し、かつ、前記水平部（５００）に1つの球体(ＰＢ)が上面側から下面側に移動可能な通孔（１２６）を複数有する回転ディスク（１１４）、前記回転ディスク（１１４）の下方に位置し、かつ、前記通孔（１２６）に保留された球体(ＰＢ)を案内するベース（１１８）、前記回転ディスク(１１４)に隣接配置された出口(１２０)、とを有する球体送り出し装置。
【請求項３】
前記水平部（５００）は、リング状の案内溝（５０２）である請求項２の球体送り出し装置。
【請求項４】
前記回転ディスク（１１４）に対し制動力を付与する制動装置（１９０）を設けた請求項２の球体送り出し装置。
【請求項５】
前記制動装置（１９０）が電気モーター（１８２）の電気ブレーキユニット（５１０）である請求項４の球体送り出し装置。
【請求項６】
前記ベース（１１８）の裏面の前記出口（１２０）近傍に球体（ＰＢ）を前記出口に案内する案内体（５０８）を配置した請求項２の球体送り出し装置。  
【手続補正２】
【補正対象書類名】明細書
【補正対象項目名】０００７
【補正方法】変更
【補正の内容】
【０００７】
この目的を達成するため、本発明にかかる球体払出装置は以下のように構成される。
複数の球体をバラ積み状態に保留する筒状のヘッド、前記ヘッドの下方に位置し、周縁部に1つの球体が上面側から下面側に移動可能な通孔を複数有する回転ディスク、前記回転ディスクの下方に位置し、かつ、前記通孔に保留された球体を案内するベース、ベース上に形成された前記球体の落下する落下孔、前記回転ディスクに隣接配置された前記落下孔と連絡した出口、とを有する球体送り出し装置である。
【手続補正３】
【補正対象書類名】明細書
【補正対象項目名】０００８
【補正方法】変更
【補正の内容】
【０００８】
この構成において、多数の球体は、バラ積み状態に回転ディスク上方のヘッドに保留される。
回転ディスク上の球体は、回転ディスクの遠心力、或いは、直接に周縁部に落下した後、通孔に落下し、ベースに支持されて通孔内に保留される。
回転ディスクの回転によって、通孔が移動し、落下孔と相対したときに球体は落下し、続いて出口に相対したとき、球体はその自由落下或いは遠心力によって出口に移動し、払い出される。
また本発明は、複数の球体をバラ積み状態に保留する筒状のヘッド、前記ヘッドの下方に位置し、周縁部にほぼ水平な部位を有し、かつ、前記水平部に1つの球体が上面側から下面側に移動可能な通孔を複数有する回転ディスク、前記回転ディスクの下方に位置し、かつ、前記通孔に保留された球体を案内するベース、前記回転ディスクに隣接配置された出口、とを有する球体送り出し装置である。
この構成であると、多数の球体は、バラ積み状態に回転ディスク上方のヘッドに保留される。
回転ディスク上の球体は、回転ディスクの遠心力、或いは、直接に周縁部に落下した後、通孔に落下し、ベースに支持されて通孔内に保留される。
回転ディスクの回転によって、通孔が移動し、出口に相対したとき、球体はその自由落下或いは遠心力によって出口に移動し、払い出される。
【手続補正４】
【補正対象書類名】明細書
【補正対象項目名】００３４
【補正方法】変更
【補正の内容】
【００３４】
回転ディスク１１４の周縁部は、制動装置１１６の制動ディスク１２５を構成している。
詳述すると、錐形ディスク１２２の周縁は鋸歯状であって、制止爪１４２が形成されている。
ズ７に示すように、制動ディスク１２５の回転方向の前縁に位置する制止爪１４２は、回転ディスク１１４の回転中心を通る直線Ｌ上に位置している。
制止爪１４２の数は、通孔１２６の２倍設けられ、所定の位置関係を有している。
【手続補正５】
【補正対象書類名】明細書
【補正対象項目名】００６４
【補正方法】変更
【補正の内容】
【００６４】
この検出信号は、払い出した球体ＰＢのカウントに用いられる。
センサ０８は、塵埃の影響を受けない近接センサが好ましいが、光電センサ等他のセンサを使用することができる。
図３に示すように、ヘッド１０８の内方は、案内溝５０２に隣接している。
これにより、球体ＰＢが案内溝５０２に速やかに落下するようにしている。
【手続補正６】
【補正対象書類名】明細書
【補正対象項目名】００７５
【補正方法】変更
【補正の内容】
【００７５】
これにより、制止体１８６の先端１８８が制止爪１４２の回転経路に移動し、制止爪１４２に面で衝突し、回転ディスク１１４の回転を停止する。
したがって、制止体１８６が制止爪１４２と衝突した位置で回転ディスク１１４は停止されるので、オーバーランを生じることがない。
【手続補正書】
【提出日】平成18年3月2日(2006.3.2)
【手続補正１】
【補正対象書類名】明細書
【補正対象項目名】０１０９
【補正方法】変更
【補正の内容】
【０１０９】
【表１】
2005095169.tif 000001
【手続補正２】
【補正対象書類名】明細書
【補正対象項目名】０１１０
【補正方法】変更
【補正の内容】
【０１１０】
＜菌体反応（炭酸マグネシウム中和、嫌気培養）＞
ブレビバクテリウム・フラバムMJ233/ΔLDH/pVK7株及びMJ233/SDH/PC/ΔLDH を用いてコハク酸生産のための培養を以下のように行った。CM-Dexプレート培地（カナマイシン25μg/ml含有）にて培養して得たMJ233/ΔLDH /pVK7株及びMJ233/SDH/PC/ΔLDH株の菌体をシード培地 3ml（グルコース 10g/L、(NH4) 2SO4 2.5g/L、KH2PO4 0.5g/L、MgSO4・7H2O 0.25g/L、尿素 2g/L、FeSO4・7H2O 0.01g/L、MnSO4・7H2O 0.01g/L、ビオチン 50μg/L、VB1・HCl 100μg/L、プロトカテク酸 15mg/L、CuSO4 0.02mg/L、CaCl2 10mg/L、pH7.0(KOH)）に接種し、好気条件にて31.5℃にて試験管で約15時間振とう培養を行った。
その後、その試験管にメイン培地 3ml（グルコース 100g/L、(NH4) 2SO4 5g/L、KH2PO42g/L、尿素 3g/L、FeSO4・7H2O 0.01g/L、MnSO4・7H2O 0.01g/L、ビオチン 200μg/L、VB1・HCl 200μg/L、MgCO3 71.4g/L、以上添加後最終濃度、pH6.8(NaOH)）を添加し、通気を防ぐため、シリコン栓で密栓してコハク酸生産培養を行った。培養は31.5℃で約48時間振とうして培地中の糖がなくなる前に培養を終了した。
培養終了後、培養液中のコハク酸や副生リンゴ酸およびフマル酸の蓄積量は、培養液を適当に希釈した後、液体クロマトグラフィーにより分析した。カラムはShim-pack SCR-102H（Simazu）を二本直列接続したものを用い、サンプルは5mM p-トルエンスルホン酸を用いて40℃で溶出した。溶出液を５mM ｐ-トルエンスルホン酸および100μM EDTAを含む20mM Bis-Tris水溶液を用いて中和し、CDD-10AD(Simazu)にて電気伝導度を測定することによりコハク酸や副生リンゴ酸およびフマル酸を測定した。このときの結果を表２に示した。
MJ233/SDH/ΔLDH株では、同宿主にベクタープラスミドを導入したMJ233/ΔLDH/pVK7株に比べて、収率は約4%の向上が認められた。また、リンゴ酸蓄積は3.6g/L、フマル酸蓄積は0.5g/L減少した。
【手続補正３】
【補正対象書類名】明細書
【補正対象項目名】０１１３
【補正方法】変更
【補正の内容】
【０１１３】
培養終了後、培養液中のコハク酸や副生リンゴ酸およびフマル酸の蓄積量は、培養液を適当に希釈した後、液体クロマトグラフィーにより分析した。カラムはShim-pack SCR-102H（Simazu）を二本直列接続したものを用い、サンプルは5mM p-トルエンスルホン酸を用いて40℃で溶出した。溶出液を５mM p-トルエンスルホン酸および100μM EDTAを含む20mM
Bis-Tris水溶液を用いて中和し、CDD-10AD(Simazu)にて電気伝導度を測定することによりコハク酸や副生リンゴ酸およびフマル酸を測定した。そのときの結果を表３に示した。
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
パラジウム化合物、一般式（Ｉ）
【化１】
2005095850.tif 000001
（式中、Ｒ１、Ｒ２およびＲ３は同一または異なっていてもよく、置換されていてもよいアルキル基、置換されていてもよいアルケニル基、置換されていてもよいアリール基または置換されていてもよいアラルキル基を表すか、それらのうちの２個はそれらが結合する炭素原子と一緒になってシクロアルキル基を形成してもよい。）
で示されるイソシアニド類および一般式（ＩＩ）
【化２】
2005095850.tif 000002
（式中、Ｍはアルカリ金属、アルカリ土類金属またはオニウムを表し、Ｒ４は水素原子、置換されていてもよいアルキル基、置換されていてもよいアルケニル基、置換されていてもよいアリール基または置換されていてもよいアラルキル基を表し、ｎはＭがアルカリ金属またはオニウムを表す場合は１を表し、Ｍがアルカリ土類金属を表す場合は２を表す。）
で示される塩基を含有する組成物。
【請求項２】
共役ジエン化合物とアルコール類とを、触媒として請求項１に記載の組成物の存在下でテロメリ化反応させて、エーテル類を得ることを特徴とするエーテル類の製造方法。
【請求項３】
アルコール類が一般式（ＶＩＩ）
【化３】
2005095850.tif 000003
（式中、Ｒ１９は置換基を有していてもよいアルキル基、置換基を有していてもよいアルケニル基、置換基を有していてもよいアリール基または置換基を有していてもよいアラルキル基を表す。）
で示されるものである請求項２に記載の製造方法。
【手続補正書】
【提出日】平成17年12月28日(2005.12.28)
【手続補正１】
【補正対象書類名】明細書
【補正対象項目名】００３７
【補正方法】変更
【補正の内容】
【００３７】
図３は、脳波データ送信機１０における多チャネル脳波データの転送に伴う電池電圧情報およびタイミング情報の転送を示すものである。図３において、予めタイマ２２に設定された送信を開始するタイミングについての判定が行われ（ＳＴＥＰ−１）、送信開始時間（ｔ1 ）になると、電池ＢがＯＮ状態となって無線回路２４がＯＮ動作状態となり（ＳＴＥＰ−２）、大容量メモリ２０に蓄積された所要量の多チャネル脳波データと電池電圧情報との送信が開始される（ＳＴＥＰ−３）。次いで、前記多チャネル脳波データと電池電圧情報との送信が完了したかについて判定が行われ（ＳＴＥＰ−４）、送信が完了すると次回の送信のタイミング（ｔ11）についての問い合わせを脳波データ受信機３０のタイミング情報設定手段に対して行う（ＳＴＥＰ−５）。そして、前記タイミング情報設定手段において設定されたタイミング情報の取得についての判定を行い（ＳＴＥＰ−６）、前記タイミング情報が取得されれば、電池ＢをＯＦＦ状態とし無線回路２４をＯＦＦ動作状態とすると共に（ＳＴＥＰ−７）、取得されたタイミング情報に基づいて次回の送信を開始するタイミング（ｔ11）をタイマ２２にセットする（ＳＴＥＰ−８）。そして、再び前記ＳＴＥＰ−１からＳＴＥＰ−８の動作が繰り返される。
【手続補正２】
【補正対象書類名】明細書
【補正対象項目名】００３８
【補正方法】変更
【補正の内容】
【００３８】
図４は、脳波データ受信機３０における多チャネル脳波データの転送に伴う電池電圧情報およびタイミング情報の転送を示すものである。図４において、無線回路３４に脳波データ送信機１０からの多チャネル脳波データと電池電圧情報とについての受信を判定し（ＳＴＥＰ−１１）、受信が確認されると前記多チャネル脳波データと電池電圧情報との取得を行う（ＳＴＥＰ−１２）。次いで、前記多チャネル脳波データと電池電圧情報との受信が完了したかについて判定が行われ（ＳＴＥＰ−１３）、受信が完了すると前記電池電圧情報に基づいて電池電圧が設定した閾値より低下していないかの判定を行う（ＳＴＥＰ−１４）。そこで、電池電圧が設定した閾値より低下していなければ、タイミング情報設定手段において、脳波データ送信機１０による次回の送信を開始するタイミング（ｔ11）について変更なしのタイミング情報を設定し（ＳＴＥＰ−１５）、このタイミング情報を脳波データ送信機１０へ転送する（ＳＴＥＰ−１７）。一方、電池電圧が設定した閾値より低下していれば、タイミング情報設定手段において、脳波データ送信機１０による次回の送信を開始するタイミング（ｔ11）を長くするタイミング情報を設定し（ＳＴＥＰ−１６）、このタイミング情報を脳波データ送信機１０へ転送する（ＳＴＥＰ−１７）。そして、再び前記ＳＴＥＰ−１１からＳＴＥＰ−１７の動作が繰り返される。